(57)【特許請求の範囲】
【請求項１】
複数のリモート局に接続され、前記複数のリモート局を介して端末と通信する制御局であって、
前記複数のリモート局のそれぞれが前記端末宛ての同じデータを周波数又は時間方向に送信電力を異ならせた送信電力パターンで送信した際に、前記端末における周波数又は時間毎の受信電力に基づく受信品質情報の組を前記端末から受信し、
前記複数のリモート局のそれぞれについての周波数又は時間毎の送信電力値の組と、前記端末から受信した前記受信品質情報の組とに基づき、前記複数のリモート局毎のパスロス値を算出するプロセッサを備える制御局。
【請求項２】
前記プロセッサは、前記複数のリモート局のそれぞれについての送信電力値の組が前記受信品質情報の組と前記複数のリモート局毎のパスロス値との関係を定義する連立方程式の係数であり、かつ、前記連立方程式が独立な方程式を前記パスロス値の個数以上含むように前記複数のリモート局のそれぞれについての前記送信電力値の組を決定する請求項１に記載の制御局。
【請求項３】
前記プロセッサは、前記リモート局毎に、前記リモート局が使用する周波数帯域毎に前記送信電力値の組を決定し、前記周波数帯域毎の受信品質情報の組と前記送信電力値の組とに基づいて前記リモート局毎のパスロス値を算出する請求項１に記載の制御局。
【請求項４】
前記プロセッサは、前記周波数帯域毎に異なる送信電力値の総和が所定値となるように前記送信電力値の組を決定する請求項２に記載の制御局。
【請求項５】
前記プロセッサは、前記リモート局毎に、所定時間毎の前記送信電力値を決定し、前記所定時間毎の受信品質情報と前記送信電力値とに基づいて前記パスロス値を算出する請求項１乃至３のいずれか１つに記載の制御局。
【請求項６】
制御局に接続され、端末と前記制御局との通信を中継する複数のリモート局の中の一つのリモート局であって、
前記複数のリモート局毎のパスロス値を算出する前記制御局から前記端末宛ての送信信
号を受信し、
前記端末への前記送信信号が、他のリモート局と同じデータであり、周波数又は時間方向に送信電力を異ならせた送信電力パターンで送信されるよう、前記周波数又は時間毎の送信電力値を調整するプロセッサと、
前記プロセッサによって調整された前記送信信号を逆フーリエ変換するベースバンド処理回路と、
前記ベースバンド処理回路で処理された前記送信信号を前記端末に送信する無線処理回路と、
を備え、
前記送信電力パターンは、前記複数のリモート局毎に異なる、
リモート局。
【請求項７】
複数のリモート局と、前記複数のリモート局を介して端末と通信する制御局とを含む通信システムであって、
前記複数のリモート局のそれぞれは、
前記制御局から受信した前記端末宛ての他のリモート局と同じデータを、周波数又は時間方向に送信電力を異ならせた送信電力パターンで前記端末に対し送信する無線処理回路を備え、
前記制御局は、
前記端末における周波数又は時間毎の受信電力に基づく受信品質情報の組を前記端末から受信し、
前記複数のリモート局のそれぞれについての周波数又は時間毎の送信電力値の組と、前記端末から受信した前記受信品質情報の組とに基づき、前記複数のリモート局毎のパスロス値を算出するプロセッサを備える、
通信システム。
【請求項８】
複数のリモート局と、前記複数のリモート局を介して端末と通信する制御局とを含む通信システムにおける通信方法であって、
前記複数のリモート局のそれぞれが、
前記制御局から受信した前記端末宛ての他のリモート局と同じデータを、周波数又は時間方向に送信電力を異ならせた送信電力パターンで前記端末に対し送信し、
前記制御局が、
前記端末における周波数又は時間毎の受信電力に基づく受信品質情報の組を前記端末から受信し、
前記複数のリモート局のそれぞれについての周波数又は時間毎の送信電力値の組と、前記端末から受信した前記受信品質情報の組とに基づき、前記複数のリモート局毎のパスロス値を算出する、
通信方法。
【発明の詳細な説明】
【技術分野】
【０００１】
本発明は、制御局、リモート局、通信システム、及び、通信方法に関する。
【背景技術】
【０００２】
無線基地局を制御局と複数のリモート局とに分離する分散アンテナシステムが考えられている。分散アンテナシステムでは、アンテナを含む無線処理部がリモート局として地理的に分散して配置される。制御局と複数のリモート局を含む分散アンテナシステムは、一つのセルを形成する。制御局が各リモート局に同一の信号を送信し、各リモート局が端末に無線信号を送信することで、電波伝搬距離の短縮化を図ることができる。また、複数のリモート局からの信号が端末で合成されることから利得が向上し、その結果、受信品質の向上が可能となる。
【先行技術文献】
【特許文献】
【０００３】
【特許文献１】特開２００７−５３７６８号公報
【特許文献２】特開２０１０-２７８８０９号公報
【特許文献３】特開２０１１-１０１２９１号公報
【特許文献４】特開２０１１-４１００１号公報
【特許文献５】特開２０１１-７８０２５号公報
【発明の概要】
【発明が解決しようとする課題】
【０００４】
図１は、従来のシステムの概要を示す図である。各リモート局からの信号が伝搬路上で合成された信号を端末は受信し、端末は複数のリモート局から送信されていることを特に区別することなく通信を行う。
【０００５】
端末においてリモート局毎の信号分離は難しく、各リモート局と端末との間の伝搬による減衰量（以下、パスロス値ともいう）をリモート局毎に分離して認識することは困難である。
【０００６】
各リモート局と端末との間のパスロス値を推定する方法として、上りリンクの受信信号により各端末と各リモート局間の距離減衰を推定する方法がある。しかし、上りリンクの受信信号により距離減衰を測定するためには、少なくとも上りリンクにおいて制御局とリモート局を１対多のリンクで接続するスター型とし、制御局においてリンクごとにユーザを分離することによって距離減衰を測定することが求められる。または、各リモート局でユーザ分離を行い各々の距離減衰を測定することが求められる。これらの場合、リンクごともしくはリモート局ごとにユーザ分離を行うこととなるため、処理が複雑であり、コストの観点等で問題がある。また、下りリンクにおいてリモート局で個別の識別信号を挿入し、端末で各リモート局からの信号を分離し測定およびフィードバックする方法もある。しかし、この場合、リモート局と端末との間の識別信号の送信や端末でのリモート局の分離処理、さらには各リモート局間のパスロス値のフィードバックが求められるため、端末の処理の複雑さの観点や制御情報量の観点で問題がある。
【０００７】
本件開示の技術は、簡易にパスロスを推定する方法を提供する。
【課題を解決するための手段】
【０００８】
開示の技術は、上記課題を解決するために、以下の手段を採用する。
【０００９】
即ち、第１の態様は、
複数のリモート局に接続され、前記複数のリモート局を介して端末と通信する制御局であって、
前記複数のリモート局のそれぞれが前記端末宛ての同じデータを周波数又は時間方向に送信電力を異ならせた送信電力パターンで送信した際に、前記端末における周波数又は時間毎の受信電力に基づく受信品質情報の組を前記端末から受信し、
前記複数のリモート局のそれぞれについての周波数又は時間毎の送信電力値の組と、前記端末から受信した前記受信品質情報の組とに基づき、前記複数のリモート局毎のパスロス値を算出するプロセッサを備える制御局とする。
【発明の効果】
【００１０】
開示の技術によれば、簡易にパスロスを推定する方法を提供することができる。
【図面の簡単な説明】
【００１１】
【図１】図１は、従来のシステムの概要を示す図である。
【図２】図２は、実施形態１のシステム構成例を示す図である。
【図３】図３は、実施形態１の制御局の機能ブロックの例を示す図である。
【図４】図４は、リモート局に通知されるリモート局毎の周波数領域毎の送信電力値の例を示す図である。
【図５】図５は、実施形態１のリモート局の機能ブロックの例を示す図である。
【図６】図６は、実施形態１の端末の機能ブロックの例を示す図である。
【図７】図７は、制御局のハードウェア構成例を示す図である。
【図８】図８は、リモート局のハードウェア構成例を示す図である。
【図９】図９は、端末のハードウェア構成例を示す図である。
【図１０】図１０は、実施形態１のシステムの動作シーケンスの例を示す図である。
【図１１】図１１は、実施形態１の制御局の送信電力決定部による送信電力値を決定する動作フローの例を示す図である。
【図１２】図１２は、実施形態２の制御局の機能ブロックの例を示す図である。
【図１３】図１３は、リモート局に通知されるリモート局毎の送信電力変更回毎の送信電力値の例を示す図である。
【図１４】図１４は、実施形態２のリモート局の機能ブロックの例を示す図である。
【図１５】図１５は、実施形態２の端末の機能ブロックの例を示す図である。
【図１６】図１６は、実施形態２のシステムの動作シーケンス（１）の例を示す図である。
【図１７】図１７は、実施形態２のシステムの動作シーケンス（２）の例を示す図である。
【図１８】図１８は、実施形態２の制御局の送信電力決定部による送信電力値を決定する動作フローの例を示す図である。
【図１９】図１９は、リモート局に通知されるリモート局毎の、電力変更回毎、周波数領域毎の送信電力値の例を示す図である。
【発明を実施するための形態】
【００１２】
以下、図面を参照して実施形態について説明する。実施形態の構成は例示であり、開示の構成は、開示の実施形態の具体的構成に限定されない。開示の構成の実施にあたって、実施形態に応じた具体的構成が適宜採用されてもよい。各実施形態は、適宜、組み合わされうる。ここでは、通信方式としてＬＴＥ（Long Term Evolution）を想定した実施形態
について説明するが、ここで説明する実施形態に適用される通信方式はＬＴＥに限定されるものではなく、ここで説明する実施形態は他の通信方式にも適用可能である。
【００１３】
〔実施形態１〕
（構成例）
図２は、本実施形態のシステム構成例を示す図である。本実施形態のシステムは、制御局１００、複数のリモート局２００、端末３００を含む。図２の例では、リモート局２００の数は３つ例示されているが、リモート局の数は３つに限定されるものではない。また、図２の例では、端末３００の数は１つ例示されているが、端末３００の数は１つに限定されるものではない。各リモート局２００は、それぞれ、制御局１００に接続される。各リモート局３００と制御局１００とは、光ファイバなどの通信回線により接続される。端末３００は、各リモート局２００から信号を受信しうる。また、端末３００は、リモート局２００以外からの信号（干渉信号）を受信しうる。端末３００は、１つ以上のリモート局２００を経由して、制御局１００との通信をする。
【００１４】
本実施形態のシステムは、各リモート局２００と端末３００との間のパスロス値を推定するシステムである。本実施形態では、制御局１００は、リモート局２００から出力される信号の送信電力を周波数方向に変化させる。
【００１５】
制御局１００は、下りリンクにおいて、上位の情報を変調し、Ｉ／Ｑ信号（In-phase/Quadrature）のサブキャリアマッピングを行い、リモート局２００に送信する。リモート
局２００は、受信した信号をＩＦＦＴ（Inverse Fast Fourier Transfer；逆高速フーリ
エ変換）及びＣＰ（Cyclic Prefix；サイクリックプリフィックス）を付加することによ
って、ＯＦＤＭ信号に変換し、送信する。上位とは、例えば、上位レイヤである。但し、本実施形態において上位レイヤの説明は省略する。
【００１６】
図３は、制御局の機能ブロックの例を示す図である。制御局１００は、変調部１０２、マッピング部１０４、送信電力決定部１０６、パスロス推定部１０８、スケジューリング部１１０、復調部１１２、デマッピング部１１４を含む。
【００１７】
変調部１０２は、上位から受信した信号に所定の変調処理を行う。変調部１０２は、変調処理した信号をマッピング部１０４に出力する。上位から受信する信号には、参照信号が含まれる。参照信号とは、例えば、リモート局と端末との間のチャネル特性を推定するための信号系列である。
【００１８】
マッピング部１０４は、スケジューリング部１１０から通知されるスケジュール（帯域割当情報）に基づいて、変調部１０２で変調された信号を、サブキャリア（周波数領域）にマッピングする。マッピング部１０４で処理された信号は、インタフェース１２０を介して、リモート局２００に出力される。
【００１９】
送信電力決定部１０６は、リモート局２００毎に、周波数領域毎の送信電力値（送信電力パターン）を決定する。送信電力決定部１０６は、決定したリモート局２００毎の周波数領域毎の送信電力値をインタフェース１２０を介して、リモート局２００に出力する。リモート局２００毎の周波数領域毎の送信電力値は、例えば、通知情報として出力される。リモート局２００毎の周波数領域毎の送信電力値の算出については、後に詳述する。
【００２０】
図４は、リモート局に通知されるリモート局毎の周波数領域毎の送信電力値の例を示す図である。送信電力決定部１０６は、図４のように、リモート局毎、周波数領域毎に、送信電力値を決定し、各リモート局２００に通知する。図４のテーブルは、後述する行列Ｐに対応する。
【００２１】
パスロス推定部１０８は、各リモート局２００に通知した周波数領域毎の送信電力値と、周波数領域毎の端末３００における受信品質を使用して、各リモート局と端末との間の
各パスロス値を推定する。パスロス推定部１０８は、送信電力決定部１０６から各リモート局２００に通知した周波数領域毎の送信電力値を受信する。また、パスロス推定部１０８は、復調部１１２から周波数領域毎の端末３００における受信品質（受信品質情報）を受信する。
【００２２】
スケジューリング部１１０は、帯域割当情報をマッピング部１０４、デマッピング部１１４等に通知する。帯域割当情報は、リモート局と端末との間で通信される無線信号が使用する周波数帯域及び時刻の割当などを示す情報である。
【００２３】
復調部１１２は、デマッピング部１１４で変換された信号を復調処理する。復調部１１２は、端末３００からのフィードバック情報等を抽出し、パスロス推定部１０８に出力する。復調部１１２は、受信した信号を上位に出力する。上位とは、例えば、上位レイヤである。
【００２４】
デマッピング部１１４は、スケジューリング部１１０から通知されるスケジュール（帯域割当情報）に基づいて、リモート局２００からインタフェース１２０を介して受信した信号をマッピング前の信号に変換する。
【００２５】
インタフェース１２０は、外部の通信回線に接続され、制御局１００内部の信号を外部の通信回線に出力し、外部の通信回線から信号を受信する。インタフェース１２０は、光ファイバ等の通信回線を介して、各リモート局２００と接続される。
【００２６】
図５は、リモート局の機能ブロックの例を示す図である。リモート局２００は、送信電力調整部２０２、ＩＦＦＴ／ＣＰ付加部２０４、ＤＡＣ２０６、インタフェース２１０、ＦＦＴ／ＣＰ除去部２１４、ＡＤＣ２１６、アンテナ２２０を含む。
【００２７】
リモート局２００は、複数の周波数領域を使用して無線信号を端末３００との間で送受信する。各リモート局２００は、それぞれ固有の識別番号（リモート局番号）を有してもよい。
【００２８】
送信電力調整部２０２は、制御局１００から通知されるリモート局２００毎の周波数領域毎の送信電力値の中から自リモート局の周波数領域毎の送信電力値を抽出する。送信電力調整部２０２は、送信信号に対して、周波数領域毎の送信電力値に基づいて、周波数領域毎に送信電力値を調整する。
【００２９】
ＩＦＦＴ（Inverse Fast Fourier Transfer）／ＣＰ（Cyclic Prefix）付加部２０４は、マッピング部１０４でマッピングされた信号に対し、ＩＦＦＴ（逆高速フーリエ変換）して、周波数領域の信号から時間領域の信号に変換する。さらに、ＩＦＦＴ／ＣＰ付加部２０４は、時間領域の信号に変換された信号に、ＣＰ（Cyclic Prefix；サイクリックプ
リフィックス）を付加する。
【００３０】
ＤＡＣ（Digital to Analog Converter）２０６は、ＩＦＦＴ／ＣＰ付加部２０４で処
理されたデータ信号（デジタル信号）を、アナログ信号に変換する。そして、ＤＡＣ２０６は、変換したアナログ信号を、アンテナ２２０に出力する。
【００３１】
インタフェース２１０は、外部の通信回線に接続され、リモート局２００内部の信号を外部の通信回線に出力し、外部の通信回線から信号を受信する。インタフェース２１０は、光ファイバ等の通信回線を介して、制御局１００と接続される。
【００３２】
ＡＤＣ（Analog to Digital Converter）２１６は、アンテナ２２０で受信した無線信
号を、デジタル信号に変換する。ＡＤＣ２１６は、変換したデジタル信号（データ信号）を、ＦＦＴ／ＣＰ除去部２１４に出力する。
【００３３】
ＦＦＴ（Fast Fourier Transfer）／ＣＰ（Cyclic Prefix）除去部２１４は、ＡＤＣ２１６で変換されたデータ信号からＣＰを除去する。さらに、ＦＦＴ／ＣＰ除去部２１４は、ＣＰを除去したデータ信号をＦＦＴ（高速フーリエ変換）して、時間領域の信号から周波数領域の信号に変換する。
【００３４】
アンテナ２２０は、端末３００と間で無線信号を送受信する。
【００３５】
図６は、端末の機能ブロックの例を示す図である。端末３００は、変調部３０２、マッピング部３０４、ＩＦＦＴ／ＣＰ付加部３０６、ＤＡＣ３０８、スケジューリング部３１０、アンテナ３２０、復調部３３２、デマッピング部３３４、ＦＦＴ／ＣＰ除去部３３６、ＡＤＣ３３８、受信品質測定部３４０を含む。
【００３６】
端末３００は、制御局１００がリモート局２００を介して送信する参照信号の受信電力及び他セルからの干渉電力により、周波数領域毎に受信品質を計測する。端末３００は、受信品質の計測結果に基づいて、Subband CQI（Channel Quality Indicator）を上りリンクの制御信号により制御局１００に送信する。Subband CQIは、各周波数領域における受
信品質を量子化した信号である。Subband CQIは、フィードバック情報の１つである。端
末３００は、定期的に、Subband CQIを制御局１００に送信する。Subband CQIは、周波数領域毎の受信品質を示す。受信品質とは、例えば、参照信号の受信強度である。
【００３７】
また、端末３００は、参照信号受信電力（ＲＳＲＰ）、全受信電力と参照信号受信電力との比（ＲＳＲＱ）を、リモート局２００を介して制御局１００に、定期的に送信する。ＲＳＲＰ及びＲＳＲＱは、フィードバック情報である。
【００３８】
変調部３０２は、上位から信号を受信する。変調部３０２は、受信品質測定部３４０からフィードバック情報を受信する。変調部３０２は、受信した信号に所定の変調処理を行う。変調部３０２は、変調処理した信号をマッピング部３０４に出力する。上位とは、例えば、上位レイヤである。
【００３９】
マッピング部３０４は、スケジューリング部３１０から通知されるスケジュール（帯域割当情報）に基づいて、変調部３０２で変調された信号を、サブキャリア（周波数領域）にマッピングする。マッピング部３０４で処理された信号は、ＩＦＦＴ／ＣＰ付加部３０６に出力される。
【００４０】
ＩＦＦＴ／ＣＰ付加部３０６は、マッピング部３０４でマッピングされた信号に対し、ＩＦＦＴして、周波数領域の信号から時間領域の信号に変換する。さらに、ＩＦＦＴ／ＣＰ付加部３０６は、時間領域の信号に変換された信号に、ＣＰを付加する。
【００４１】
ＤＡＣ３０８は、ＩＦＦＴ／ＣＰ付加部３０６で処理されたデータ信号（デジタル信号）を、アナログ信号に変換する。ＤＡＣ３０８は、変換したアナログ信号を、アンテナ３２０に出力する。
【００４２】
アンテナ３２０は、各リモート局２００との間で無線信号を送受信する。
【００４３】
ＡＤＣ３３８は、アンテナ３２０で受信した無線信号を、デジタル信号に変換する。ＡＤＣ３３８は、変換したデジタル信号（データ信号）を、ＦＦＴ／ＣＰ除去部３３６に出力する。
【００４４】
ＦＦＴ／ＣＰ除去部３３６は、ＡＤＣ３３８で変換されたデータ信号からＣＰを除去する。ＦＦＴ／ＣＰ除去部３３６は、ＣＰを除去したデータ信号をＦＦＴして、時間領域の信号から周波数領域の信号に変換する。
【００４５】
デマッピング部３３４は、スケジューリング部３１０から通知されるスケジュール（帯域割当情報）に基づいて、ＦＦＴ／ＣＰ除去部３３６から受信した信号をマッピング前の信号に変換する。
【００４６】
復調部３３２は、デマッピング部３３４で変換された信号を復調処理する。復調部３３２は、復調部３３２は、受信した信号を上位に引き渡す。また、復調部３３２は、受信した信号を受信品質測定部３４０に出力する。
【００４７】
受信品質測定部３４０は、制御局が送信する信号に含まれる参照信号の受信電力及び他セルからの干渉信号により、周波数領域毎の受信品質を測定する。受信品質測定部３４０は、測定結果に基づいて、Subband CQIを上りリンク制御信号により、制御局１００に送
信する。受信品質測定部３４０は、受信信号等から、参照信号受信電力（ＲＳＲＰ）、全受信電力と参照信号受信電力との比（ＲＳＲＱ）を算出し得る。
【００４８】
制御局１００、リモート局２００は、専用または汎用のコンピュータ、あるいは、コンピュータを搭載した電子機器を使用して実現可能である。端末３００は、スマートフォン、携帯電話、カーナビゲーション装置のような専用または汎用のコンピュータ、あるいは、コンピュータを搭載した電子機器を使用して実現可能である。
【００４９】
コンピュータ、すなわち、情報処理装置は、プロセッサ、主記憶装置、及び、二次記憶装置や、通信インタフェース装置のような周辺装置とのインタフェース装置を含む。記憶装置（主記憶装置及び二次記憶装置）は、コンピュータ読み取り可能な記録媒体である。
【００５０】
コンピュータは、プロセッサが記録媒体に記憶されたプログラムを主記憶装置の作業領域にロードして実行し、プログラムの実行を通じて周辺機器が制御されることによって、所定の目的に合致した機能を実現することができる。
【００５１】
プロセッサは、例えば、ＣＰＵ（Central Processing Unit）やＤＳＰ（Data Signal Processor）である。主記憶装置は、例えば、ＲＡＭ（Random Access Memory）やＲＯＭ（Read Only Memory）を含む。
【００５２】
二次記憶装置は、例えば、ＥＰＲＯＭ（Erasable Programmable ROM）、ハードディス
クドライブ（ＨＤＤ、Hard Disk Drive）である。また、二次記憶装置は、リムーバブル
メディア、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。
【００５３】
図７は、制御局のハードウェア構成例を示す図である。制御局１００は、プロセッサ１９２、記憶装置１９４、ベースバンド処理回路１９６を含む。プロセッサ１９２、記憶装置１９４、ベースバンド処理回路１９６は、例えば、バスを介して互いに接続される。
【００５４】
プロセッサ１９２は、スケジューリング部１１０、送信電力決定部１０６、パスロス推定部１０８としての機能を実現しうる。
【００５５】
記憶装置１９４は、プロセッサで実行されるプログラム、プログラムの実行の際に使用
されるデータ等が格納される。
【００５６】
ベースバンド処理回路１９６は、変調部１０２、復調部１１２、マッピング部１０４、デマッピング部１１４としての機能を実現しうる。ベースバンド処理回路は、ベースバンド信号を処理する。
【００５７】
図８は、リモート局のハードウェア構成例を示す図である。リモート局２００は、プロセッサ２９２、記憶装置２９４、ベースバンド処理回路２９６、無線処理回路２９８、アンテナ２２０を含む。プロセッサ２９２、記憶装置２９４、ベースバンド処理回路２９６、無線処理回路２９８、アンテナ２２０は、例えば、バスを介して互いに接続される。
【００５８】
プロセッサ２９２は、送信電力調整部２０２としての機能を実現しうる。
【００５９】
記憶装置２９４には、プロセッサで実行されるプログラム、プログラムの実行の際に使用されるデータ等が格納される。
【００６０】
ベースバンド処理回路２９６は、ＩＦＦＴ／ＣＰ付加部２０４、ＦＦＴ／ＣＰ除去部２１４として信号を処理することができる。
【００６１】
無線処理回路２９８は、ＤＡＣ２０６、ＡＤＣ２１６として信号を処理することができる。無線処理回路２９８は、アンテナ２２０で送受信される無線信号を処理する。
【００６２】
図９は、端末のハードウェア構成例を示す図である。端末３００は、プロセッサ３９２、記憶装置３９４、ベースバンド処理回路３９６、無線処理回路３９８、アンテナ３２０を含む。無線処理回路３９８は、アンテナ３２０に接続される。プロセッサ３９２、記憶装置３９４、ベースバンド処理回路３９６、無線処理回路３９８は、例えば、バスを介して互いに接続される。
【００６３】
プロセッサ３９２は、スケジューリング部３１０、受信品質測定部３４０としての機能を実現しうる。
【００６４】
記憶装置３９４には、プロセッサで実行されるプログラム、プログラムの実行の際に使用されるデータ等が格納される。
【００６５】
ベースバンド処理回路３９６は、変調部３０２、復調部３３２、マッピング部３０４、デマッピング部３３４、ＩＦＦＴ／ＣＰ付加部３０６、ＦＦＴ／ＣＰ除去部３３６として信号を処理することができる。
【００６６】
無線処理回路３９８は、ＤＡＣ３０８、ＡＤＣ３３８として信号を処理することができる。
【００６７】
（動作例）
図１０は、本実施形態のシステムの動作シーケンスの例を示す図である。本実施形態のシステムは、リモート局２００と端末３００との間のパスロス値を推定する。
【００６８】
制御局１００と端末３００との間の通信は、確立しているとする。制御局１００および端末３００は、リモート局２００を介して、互いに信号を送受信する。ＳＱ１００１以降の動作シーケンスは、例えば、所定時間毎に実行される。
【００６９】
制御局１００の送信電力決定部１０６は、リモート局２００毎に周波数領域毎の送信電
力値を決定する（ＳＱ１００１）。送信電力値の決定については、後に説明する。
【００７０】
制御局１００の送信電力決定部１０６は、決定した送信電力値を、送信電力値通知信号として、各リモート局２００に送信する（ＳＱ１００２）。送信電力値通知信号は、すべてのリモート局２００についての周波数領域毎の送信電力値を含む。また、送信電力値通知信号は、リモート局毎の送信電力値通知信号として生成され、各リモート局にそれぞれの送信電力通知信号が送信されてもよい。
【００７１】
各リモート局２００の送信電力調整部２０２は、制御局１００から通知される送信電力値通知信号から自リモート局の周波数領域毎の送信電力値を取得する。各リモート局２００は、受信した送信電力値に基づいて、周波数領域毎に送信電力を調整する（ＳＱ１００３）。
【００７２】
制御局１００は、参照信号を含む信号を端末３００に向けて送信する（ＳＱ１００４）。リモート局２００は、制御局１００から送信された参照信号を含む信号を、ＳＱ１００２で調整した送信電力で送信する。端末３００は、各リモート局２００からの参照信号を含む信号を受信する。
【００７３】
端末３００の受信品質測定部３４０は、受信した参照信号の受信電力、干渉電力等から、周波数領域毎に受信品質を測定する（ＳＱ１００５）。
【００７４】
端末３００は、測定した受信品質を、受信品質情報として、制御局１００に送信する（ＳＱ１００６）。
【００７５】
パスロス推定部１０８は、リモート局２００毎の周波数領域毎の送信電力値、及び、端末３００から受信した周波数領域毎の受信品質に基づいて、各リモート局２００と端末３００との間のパスロス値（チャネルゲイン）を算出する（ＳＱ１００７）。
【００７６】
ＳＱ１００１以降の動作は、例えば、制御局１００において測定される制御局１００の負荷が所定値以下である場合に、開始されるようにしてもよい。
【００７７】
パスロス値の算出については、後に説明する。
【００７８】
（パスロス値の算出）
制御局１００のパスロス推定部１０８は、各リモート局２００に通知した周波数領域毎の送信電力値と、周波数領域毎の端末３００における受信品質を使用して、各リモート局と端末との間の各パスロス値を推定する。
【００７９】
ここで、チャネルゲインＧ、各リモート局２００の周波数領域毎の送信電力値Ｐ、及び、端末３００における受信品質Ｃとの関係は、次のように表される。チャネルゲインは、パスロス値の逆数である。
【００８０】
【数１】
0005862228.tif 000002
【００８１】
ここで、σは他セルからの干渉電力値および雑音電力値を表す。本実施形態では、σは、時間にも周波数にも依存せず一定であるとする。
【００８２】
端末３００における受信品質Ｃは、次のように表される。
【００８３】
【数２】
0005862228.tif 000003
【００８４】
ここで、γｉは、端末３００における周波数領域＃ｉの受信品質である。γｉは、所定期間において各リモート局２００の送信電力Ｐが一定であれば、当該所定期間の端末３００における周波数領域＃ｉの受信品質の平均でもよい。ｎは、リモート局２００が使用する周波数領域の数である。受信品質は、端末３００から定期的に、制御局１００に、Subband CQIとして送信される。
【００８５】
各リモート局２００の送信電力Ｐは、次のように表される。
【００８６】
【数３】
0005862228.tif 000004
【００８７】
ここで、ｐｉ,ｊは、リモート局２００＃ｊにおける周波数領域＃ｉの送信電力値であ
る。ｍは、リモート局２００の数である。ｍは、原則として、稼動しているリモート局２００の数とする。稼動していない（電波を送信していない）リモート局２００については、行列Ｐから除外する。
【００８８】
チャネルゲインＧは、次のように表される。
【００８９】
【数４】
0005862228.tif 000005
【００９０】
ここで、ｇｊは、リモート局２００＃ｊからのチャネルゲインである。チャネルゲイン
は、パスロス値の逆数である。即ち、端末３００とリモート局２００＃ｊとの間のパスロス値は、１／ｇｊである。
【００９１】
チャネルゲインＧは、次のように求められる。
【００９２】
【数５】
0005862228.tif 000006
【００９３】
行列Ｐの各要素は、行列Ｃの各要素とチャネルゲインＧの各要素との関係を定義する連立方程式の係数である。行列Ｐにおいて、０でない固有値の数がｍ以上である場合、当該連立方程式が独立な方程式をｍ以上含むこととなり、チャネルゲインＧが求められる。また、行列Ｐが正方行列でない場合、行列ＰＴＰにおいて、０でない固有値の数がｍ以上である場合、当該連立方程式が独立な方程式をｍ以上含むこととなり、チャネルゲインＧが求められる。
【００９４】
σは、例えば、次のように求められる。
【００９５】
【数６】
0005862228.tif 000007
【００９６】
ここで、ＲＳＲＰ（Reference Signal Received Power）は参照信号受信電力であり、
ＲＳＲＱ（Reference Signal Received Quality）は全受信電力と参照信号受信電力との
比である。σは、この例に限定されるものではない。ＲＳＲＰ及びＲＳＲＱは、端末３００からリモート局２００を介して制御局１００に送信されるフィードバック情報である。
【００９７】
パスロス値は、チャネルゲインの逆数として求められる。
【００９８】
（送信電力値の決定）
制御局１００の送信電力決定部１０６は、リモート局２００毎に、周波数領域毎の送信電力値を決定する。
【００９９】
図１１は、制御局１００の送信電力決定部１０６による送信電力値を決定する動作フローの例を示す図である。
【０１００】
送信電力決定部１０６は、各リモート局２００の送信電力値を周波数領域毎に仮定する（Ｓ１０１）。送信電力決定部１０６は、各リモート局２００の周波数領域毎の送信電力値Ｐ（行列）を生成し、行列Ｐの固有値を求める（Ｓ１０２）。
【０１０１】
送信電力決定部１０６は、行列Ｐのある一定値（閾値）以上の固有値の個数が、リモート局２００の数以上であるか否かを判定する（Ｓ１０３）。ここでは、ある一定値未満の
固有値は０であるとみなす。行列Ｐのある一定値以上の固有値の個数がリモート局２００の数ｍより小さい場合（Ｓ１０３；ＮＯ）、処理がステップＳ１０１に戻る。
【０１０２】
行列Ｐのある一定値以上の固有値の個数がリモート局２００の数ｍ以上である場合（Ｓ１０３；ＹＥＳ）、処理が終了する。このとき、最後にステップＳ１０２で生成した行列Ｐが、各リモート局２００の周波数領域毎の送信電力値の行列として決定される。
【０１０３】
行列Ｐにおいて、０でない固有値の数がリモート局の数ｍより小さい場合、チャネルゲインＧを求めることができなくなる。逆に、行列Ｐにおいて、０でない固有値の数がリモート局の数ｍ以上である場合、チャネルゲインＧが求められうる。従って、送信電力決定部１０６は、行列Ｐのある一定値以上の固有値の個数がリモート局２００の数ｍ以上となるまで、行列Ｐの生成を試みる。行列Ｐの０でない固有値の個数がｍ以上であれば、独立の方程式がｍ以上できるため、チャネルゲインＧが求められる。
【０１０４】
１つのリモート局２００からの信号の受信品質は、当該リモート局２００の送信電力値の総和に依存する。ステップＳ１０１で、リモート局２００毎に送信電力値の総和が所定値になるようにすると、送信電力値が周波数領域によらず一定で送信電力値の総和が当該所定値である場合と比べて、端末３００における受信品質は、劣化しない。
【０１０５】
ここで、行列Ｐが正方行列でない場合、図１１の動作フローでは、行列Ｐが生成された後、行列Ｐの代わりに行列ＰＴＰが使用される。例えば、ステップＳ１０２では、行列ＰＴＰの固有値が求められる。行列ＰＴＰは、正方行列である。
【０１０６】
（本実施形態の作用効果）
制御局１００の送信電力決定部１０６は、リモート局２００毎に周波数領域（周波数）毎の送信電力値を決定する。リモート局２００毎の周波数領域毎の送信電力値は、送信電力値の組である。送信電力決定部１０６は、リモート局２００から出力される信号の送信電力を周波数方向に変化させる。制御局１００のパスロス推定部１０８は、リモート局毎の周波数領域毎の送信電力値、端末３００から受信した周波数領域毎の受信品質に基づいて、各リモート局２００と端末３００との間の（下りリンクの）パスロス値を算出する。周波数領域毎の受信品質は、受信品質情報の組である。
【０１０７】
本実施形態の構成によれば、上りリンクにおいて個々のリモート局２００と端末３００との間のリンク毎にユーザ分離を行うことなく、リモート局２００と端末３００との間のパスロス値を推定することが可能となる。また、本実施形態の構成によれば、下りリンクにおいてリモート局固有の識別番号を送信することなく、リモート局２００と端末３００との間のパスロス値を推定することが可能となる。さらに、本実施形態の構成によれば、端末３００において各リモート局２００の信号分離を行うことや各リモート局２００の一部の周波数帯域の送信を取りやめることなく、リモート局２００と端末３００との間のパスロス値を推定することが可能となる。
【０１０８】
本実施形態によれば、リモート局２００にＩＦＦＴ／ＣＲ付加部２０４が設けられることにより、送信電力をリモート局２００で周波数領域毎の送信電力値に調整することが可能となる。
【０１０９】
制御局１００は、端末３００が送信するフィードバック情報を用いて、各リモート局２００と端末３００との間のパスロス値を求めることができる。端末３００は、パスロス値を求めるための特別な構成を用意しなくてもよい。
【０１１０】
制御局１００は、パスロス値を使用して、例えば、パスロス値が大きいリモート局２０
０から端末３００への送信電力を低減することができる。これにより、他セルへの干渉が低減し得る。パスロス値が大きい場合、端末３００とリモート局２００とが遠く離れていることが推定される。このとき、当該リモート局２００から当該端末３００への信号送信は、当該端末３００の受信品質の向上に寄与しないだけでなく、他セルへの干渉を増大するおそれがある。よって、制御局１００は、当該リモート局２００から当該端末３００への送信電力を調整することで、他セルへの干渉を低減できる。即ち、制御局３００は、ある端末３００へのパスロス値が大きいリモート局２００に対してより小さい送信電力を設定し、パスロス値が小さいリモート局２００に対してより大きな送信電力を設定することで、端末３００での受信品質の向上を図ることができる。
【０１１１】
〔実施形態２〕
次に実施形態２について説明する。実施形態２は、実施形態１との共通点を有する。従って、主として相違点について説明し、共通点については、説明を省略する。
【０１１２】
（構成例）
本実施形態のシステムは、制御局６００、複数のリモート局７００、端末８００を含む。本実施形態のシステムは、図２のシステム構成例と同様である。
【０１１３】
本実施形態のシステムは、各リモート局７００と端末８００との間のパスロス値を推定するシステムである。本実施形態では、制御局６００は、リモート局７００から出力される信号の送信電力を時間方向に変化させる。
【０１１４】
図１２は、制御局の機能ブロックの例を示す図である。制御局６００は、変調部６０２、マッピング部６０４、送信電力決定部６０６、パスロス推定部６０８、スケジューリング部６１０、復調部６１２、デマッピング部６１４を含む。また、制御局６００は、ＩＦＦＴ／ＣＰ付加部６３２、ＦＦＴ／ＣＰ付加部６３４を含む。
【０１１５】
ＩＦＦＴ／ＣＰ付加部６３２は、マッピング部３０４でマッピングされた信号に対し、ＩＦＦＴして、周波数領域の信号から時間領域の信号に変換する。そして、ＩＦＦＴ／ＣＰ付加部６３２は、時間領域の信号に変換された信号に、ＣＰを付加する。ＩＦＦＴ／ＣＰ付加部６３２は、処理した信号を、インタフェース６２０を介してリモート局７００に出力する。
【０１１６】
ＦＦＴ／ＣＰ除去部６３４は、リモート局７００のＡＤＣ７１６で変換されたデータ信号からＣＰを除去する。ＦＦＴ／ＣＰ除去部６３４は、ＣＰを除去したデータ信号をＦＦＴして、時間領域の信号から周波数領域の信号に変換する。ＦＦＴ／ＣＰ除去部６３４は、処理した信号をデマッピング部６１４に出力する。
【０１１７】
送信電力決定部６０６は、送信電力変更回数を決定する。送信電力変更回数は、パスロス値を算出するまでに、端末８００で受信品質を測定する回数である。送信電力変更回数は、リモート局７００の数よりも大きい数となる。送信電力変更回数が、リモート局７００の数よりも小さいと、パスロス値を算出できないからである。送信電力決定部６０６は、リモート局７００毎に、送信電力変更回毎の送信電力値（送信電力パターン）を決定する。送信電力決定部６０６は、実施形態１とは異なり、リモート局７００毎に周波数方向には一定の送信電力値となるようにする。１つのリモート局７００において、送信電力変更回毎に、送信電力パターンに基づいて、送信電力が変更されることになる。送信電力変更が所定時間毎に行われるとすると、送信電力パターンに基づいて、所定時間毎に、送信電力が変更される。
【０１１８】
図１３は、リモート局に通知されるリモート局毎の送信電力変更回毎の送信電力値の例
を示す図である。送信電力決定部６０６は、図１３のように、リモート局毎、送信電力変更回毎に、送信電力値を決定し、各リモート局７００に通知する。図１３のテーブルは、後述する行列Ｐに対応する。
【０１１９】
パスロス推定部６０８は、各リモート局７００に通知した送信電力変更回毎の送信電力値と、送信電力変更回毎の端末８００における全周波数領域の平均の受信品質を使用して、各リモート局と端末との間の各パスロス値を推定する。パスロス推定部６０８は、送信電力決定部６０６から各リモート局７００に通知した送信電力値を受信する。パスロス推定部６０８は、復調部６１２から周波数領域毎の端末８００における受信品質を受信する。
【０１２０】
図１４は、リモート局の機能ブロックの例を示す図である。リモート局７００は、送信電力調整部７０２、ＤＡＣ７０６、インタフェース７１０、ＡＤＣ７１６、アンテナ７２０を含む。
【０１２１】
送信電力調整部７０２は、制御局６００から通知されるリモート局７００毎の送信電力変更回毎の送信電力値の中から自リモート局の送信電力変更回毎の送信電力値を取得する。送信電力調整部７０２は、送信信号に対して、送信電力変更回毎の送信電力値に基づいて、送信電力変更回毎に送信電力値を調整する。送信電力変更の時間間隔は、例えば、端末８００における受信品質の測定の時間間隔と同じにする。
【０１２２】
ＤＡＣ７０６は、送信電力調整部７０２で送信電力が変更されたデータ信号（デジタル信号）を、アナログ信号に変換する。ＤＡＣ７０６は、変換したアナログ信号を、アンテナ７２０に出力する。
【０１２３】
ＡＤＣ７１６は、アンテナ７２０で受信した無線信号を、デジタル信号に変換する。ＡＤＣ７１６は、変換したデジタル信号（データ信号）を、制御局６００に出力する。
【０１２４】
図１５は、端末の機能ブロックの例を示す図である。端末８００は、変調部８０２、マッピング部８０４、ＩＦＦＴ／ＣＰ付加部８０６、ＤＡＣ８０８、スケジューリング部８１０、アンテナ８２０、復調部８３２、デマッピング部８３４、ＦＦＴ／ＣＰ除去部８３６、ＡＤＣ８３８、受信品質測定部８４０を含む。
【０１２５】
端末８００は、制御局６００がリモート局７００を介して送信する参照信号の受信電力及び他セルからの干渉電力により、全周波数領域の平均の受信品質を計測する。端末３００は、受信品質の計測結果に基づいて、Wideband CQI（Channel Quality Indicator）を
上りリンクの制御信号により制御局６００に送信する。Wideband CQIは、全周波数領域の平均の受信品質を量子化した信号である。Wideband CQIは、フィードバック情報の１つである。端末８００は、定期的に（所定時間間隔で）、Wideband CQIを制御局６００に送信する。Wideband CQIは、全周波数領域の平均の受信品質を示す。
【０１２６】
受信品質測定部８４０は、制御局が送信する信号に含まれる参照信号の受信電力及び他セルからの干渉信号により、少なくとも電力変更回毎に、全周波数領域の平均の受信品質を測定する。受信品質測定部８４０は、測定結果に基づいて、Wideband CQIを上りリンク制御信号により、少なくとも電力変更回毎に、制御局６００に送信する。受信品質測定部８４０は、受信信号等から、参照信号受信電力（ＲＳＲＰ）、全受信電力と参照信号受信電力との比（ＲＳＲＱ）を算出する。受信品質測定部８４０は、すべての電力変更回の受信品質をまとめて、制御局６００に送信してもよい。
【０１２７】
制御局６００、リモート局７００、端末８００は、それぞれ、図７、図８、図９に示さ
れる構成と同様のハードウェア構成によって実現されうる。
【０１２８】
（動作例）
図１６及び図１７は、本実施形態のシステムの動作シーケンスの例を示す図である。図１６の「Ａ」、「Ｂ１」から「Ｂｎ」、「Ｃ」、「ｄ」、「ｅ」は、それぞれ、図１７の「Ａ」、「Ｂ１」から「Ｂｎ」、「Ｃ」、「ｄ」、「ｅ」に接続する。
【０１２９】
本実施形態のシステムは、リモート局７００と端末８００との間のパスロス値を推定する。
【０１３０】
制御局６００と端末８００との間の通信は、確立しているとする。制御局６００および端末８００は、リモート局７００を介して、互いに信号を送受信する。
【０１３１】
制御局６００の送信電力決定部６０６は、リモート局７００毎に送信電力変更回毎の送信電力値を決定する（ＳＱ２００１）。送信電力値の決定については、後に説明する。
【０１３２】
制御局６００の送信電力決定部６０６は、決定した送信電力値を、送信電力値通知信号として、各リモート局７００に送信する（ＳＱ２００２）。
【０１３３】
各リモート局７００の送信電力調整部７０２は、制御局６００から通知される送信電力値通知信号から自リモート局の送信電力変更回毎の送信電力値を取得する。各リモート局７００は、受信した送信電力値に基づいて、送信電力変更回毎に送信電力を調整する（ＳＱ２００３）。
【０１３４】
制御局６００は、参照信号を含む信号を端末８００に向けて送信する（ＳＱ２００４）。リモート局７００は、制御局６００から送信された参照信号を含む信号を、ＳＱ２００２で調整した送信電力で送信する。端末８００は、各リモート局７００からの参照信号を含む信号を受信する。
【０１３５】
端末８００の受信品質測定部８４０は、受信した参照信号の受信電力、干渉電力等から、全周波数領域の平均の受信品質を測定する（ＳＱ２００５）。
【０１３６】
端末８００は、測定した受信品質を、受信品質情報として、制御局６００に送信する（ＳＱ２００６）。
【０１３７】
制御部６００、各リモート局７００、端末８００は、送信電力決定部６０６が決定した送信電力変更回数（ここではｎ回）、ＳＱ２００３からＳＱ２００６の処理を繰り替えす。
【０１３８】
パスロス推定部６０８は、送信電力決定部６０６が決定した送信電力変更回数の受信品質を受信する。パスロス推定部６０８は、送信電力決定部６０６から、リモート局７００毎の送信電力変更回毎の送信電力値を取得する。パスロス推定部６０８は、リモート局７００毎の送信電力変更回毎の送信電力値、及び、端末３００から受信した送信電力変更回毎の受信品質に基づいて、各リモート局２００と端末３００との間のパスロス値（チャネルゲイン）を算出する（ＳＱ２００７）。
【０１３９】
パスロス値の算出については、後に説明する。
【０１４０】
（パスロス値の算出）
制御局６００のパスロス推定部６０８は、各リモート局７００に通知した送信電力変更
回毎の送信電力値と、送信電力変更回毎の端末８００における受信品質を使用して、各リモート局と端末との間の各パスロス値を推定する。
【０１４１】
ここで、チャネルゲインＧ、各リモート局７００の送信電力変更回毎の送信電力値Ｐ、及び、端末８００における受信品質Ｃとの関係は、次のように表される。チャネルゲインは、パスロス値の逆数である。
【０１４２】
【数７】
0005862228.tif 000008
【０１４３】
ここで、σは他セルからの干渉電力値および雑音電力値を表す。本実施形態では、σは、時間にも周波数にも依存せず一定であるとする。
【０１４４】
端末８００における受信品質Ｃは、次のように表される。
【０１４５】
【数８】
0005862228.tif 000009
【０１４６】
ここで、γｉは、端末８００における送信電力変更回＃ｉの全周波数領域の平均の受信品質である。ｎは、送信電力決定部６０６が決定する送信電力変更回数である。ｎは、リモート局７００の数以上の値とする。受信品質は、端末８００から定期的に、制御局６００に、Wideband CQIとして送信される。
【０１４７】
各リモート局６００の送信電力Ｐは、次のように表される。
【０１４８】
【数９】
0005862228.tif 000010
【０１４９】
ここで、ｐｉ,ｊは、リモート局７００＃ｊにおける送信電力変更回＃ｉの送信電力値
である。ｍは、リモート局７００の数である。ｍは、原則として、稼動しているリモート局７００の数とする。稼動していない（電波を送信していない）リモート局７００につい
ては、行列Ｐから除外する。
【０１５０】
チャネルゲインＧは、次のように表される。
【０１５１】
【数１０】
0005862228.tif 000011
【０１５２】
ここで、ｇｊは、リモート局７００＃ｊからのチャネルゲインである。チャネルゲインは、パスロス値の逆数である。即ち、端末８００とリモート局７００＃ｊとの間のパスロス値は、１／ｇｊである。
【０１５３】
チャネルゲインＧは、次のように求められる。
【０１５４】
【数１１】
0005862228.tif 000012
【０１５５】
行列Ｐの各要素は、行列Ｃの各要素とチャネルゲインＧの各要素との関係を定義する連立方程式の係数である。行列Ｐにおいて、０でない固有値の数がｍ以上である場合、当該連立方程式が独立な方程式をｍ以上含むこととなり、チャネルゲインＧが求められる。また、行列Ｐが正方行列でない場合、行列ＰＴＰにおいて、０でない固有値の数がｍ以上である場合、当該連立方程式が独立な方程式をｍ以上含むこととなり、チャネルゲインＧが求められる。  σは、例えば、次のように求められる。
【０１５６】
【数１２】
0005862228.tif 000013
【０１５７】
ここで、ＲＳＲＰ（Reference Signal Received Power）は参照信号受信電力であり、
ＲＳＲＱ（Reference Signal Received Quality）は全受信電力と参照信号受信電力との
比である。σは、この例に限定されるものではない。ＲＳＲＰ及びＲＳＲＱは、端末８００からリモート局７００を介して制御局６００に送信されるフィードバック情報である。
【０１５８】
パスロス値は、チャネルゲインの逆数として求められる。
【０１５９】
（送信電力値の決定）
制御局６００の送信電力決定部６０６は、リモート局７００毎に、電力変更回毎の送信電力値を決定する。
【０１６０】
図１８は、制御局６００の送信電力決定部６０６による送信電力値を決定する動作フローの例を示す図である。
【０１６１】
送信電力決定部６０６は、送信電力変更回数を決定する（Ｓ２０１）。送信電力変更回数は、パスロス値を算出するまでに、端末８００で受信品質を測定する回数である。送信電力変更回数は、パスロス算出時間（パスロスを算出するまでにかける時間）をあらかじめ設定し、このパスロス算出時間を、端末８００における受信品質測定の時間間隔で割った値としてもよい。なお、送信電力変更回数は、自然数である。受信品質測定の時間間隔は、例えば、端末８００であらかじめ設定されている。また、このパスロス算出時間を、端末８００における受信品質測定の時間間隔のｎ倍で割った値としてもよい。  送信電力決定部６０６は、各リモート局７００の送信電力値を電力変更回毎に仮定する（Ｓ２０２）。送信電力決定部６０６は、各リモート局７００の電力変更回毎の送信電力値Ｐ（行列）を生成し、行列Ｐの固有値を求める（Ｓ２０３）。
【０１６２】
送信電力決定部６０６は、行列Ｐのある一定値（閾値）以上の固有値の個数が、リモート局７００の数以上であるか否かを判定する（Ｓ２０４）。ここでは、ある一定値未満の固有値は０であるとみなす。行列Ｐのある一定値以上の固有値の個数がリモート局７００の数ｍより小さい場合（Ｓ２０４；ＮＯ）、処理がステップＳ２０２に戻る。
【０１６３】
行列Ｐのある一定値以上の固有値の個数がリモート局７００の数ｍ以上である場合（Ｓ２０４；ＹＥＳ）、処理が終了する。このとき、最後にステップＳ２０３で生成した行列Ｐが、各リモート局７００の電力変更回毎の送信電力値の行列として決定される。
【０１６４】
行列Ｐにおいて、０でない固有値の数がリモート局の数ｍより小さい場合、チャネルゲインＧを求めることができなくなる。逆に、行列Ｐにおいて、０でない固有値の数がリモート局の数ｍ以上である場合、チャネルゲインＧを求めることができる。従って、送信電力決定部６０６は、行列Ｐのある一定値以上の固有値の個数がリモート局７００の数ｍ以上となるまで、行列Ｐの生成を試みる。
【０１６５】
ステップＳ２０２で、リモート局７００毎に送信電力値の総和が所定値になるようにすると、送信電力値が周波数領域によらず一定で送信電力値の総和が当該所定値である場合と比べて、リモート局７００からの送信信号は、劣化しない。
【０１６６】
ここで、行列Ｐが正方行列でない場合、図１８の動作フローでは、行列Ｐが生成された後、行列Ｐの代わりに行列ＰＴＰが使用される。行列ＰＴＰは、正方行列である。
【０１６７】
（本実施形態の作用効果）
制御局６００は、リモート局毎に所定時間毎の送信電力値を決定する。リモート局毎の所定時間毎の送信電力値は、送信電力値の組である。制御局６００は、リモート局７００における送信電力値を、周波数領域毎の送信電力値として決定しない。リモート局７００における送信電力値は、周波数領域に依存しない。そのため、リモート局７００は、逆フーリエ変換を行った後の送信信号に対して、制御局６００で決定された送信電力パターンに基づく送信電力値の調整をできる。従って、リモート局７００は、ＩＦＦＴ／ＣＰ付加部、ＦＦＴ／ＣＰ除去部を有さなくてもよい。これにより、リモート局７００の構成が、簡素化される。
【０１６８】
また、制御局６００は、電力変更回数を任意に変更することにより、パスロス値の精度上げたり、下げたりすることができる。例えば、電力変更回数が多くなると、行列Ｐの要素の数が多くなるため、パスロス値の精度が上がることが期待される。
【０１６９】
〔実施形態３〕
次に実施形態３について説明する。実施形態３は、実施形態１及び実施形態２との共通点を有する。従って、主として相違点について説明し、共通点については、説明を省略する。
【０１７０】
（構成例）
本実施形態のシステムは、制御局、複数のリモート局、端末を含む。本実施形態のシステムは、図２のシステム構成例と同様である。
【０１７１】
本実施形態のシステムは、各リモート局と端末との間のパスロス値を推定するシステムである。本実施形態では、制御局は、リモート局から出力される信号の送信電力を、周波数方向及び時間方向に変化させる。
【０１７２】
本実施形態の制御局、リモート局、端末は、実施形態１の制御局１００、リモート局２００、端末３００と同様の構成を有する。
【０１７３】
本実施形態の制御局の送信電力決定部は、電力変更回数を決定する。また、本実施形態の送信電力決定部は、リモート局毎に、電力変更回毎、周波数領域毎の送信電力値（送信電力パターン）を決定する。
【０１７４】
本実施形態のリモート局の送信電力調整部は、制御局から通知されるリモート局毎の、電力変更回毎、周波数領域毎の送信電力値の中から自リモート局の電力変更回毎、周波数領域毎の送信電力値を抽出する。送信電力調整部は、送信信号に対して、電力変更回毎、周波数領域毎の送信電力値に基づいて、電力変更回毎、周波数領域毎に送信電力値を調整する。
【０１７５】
図１９は、リモート局に通知されるリモート局毎の、電力変更回毎、周波数領域毎の送信電力値の例を示す図である。送信電力決定部は、図１９のように、リモート局毎、電力変更回毎、周波数領域毎に、送信電力値を決定し、各リモート局に通知する。図１９のテーブルは、後述する行列Ｐに対応する。
【０１７６】
本実施形態の端末の受信品質測定部は、制御局が送信する信号に含まれる参照信号の受信電力及び他セルからの干渉信号により、周波数領域毎の受信品質を測定する。受信品質測定部は、測定結果に基づいて、Subband CQIを上りリンク制御信号により、制御局に送
信する。受信品質測定部は、受信信号等から、参照信号受信電力（ＲＳＲＰ）、全受信電力と参照信号受信電力との比（ＲＳＲＱ）を算出する。
【０１７７】
本実施形態の制御局、リモート局、端末は、それぞれ、図７、図８、図９に示される構成と同様のハードウェア構成によって実現されうる。
【０１７８】
（動作例）
本実施形態の動作シーケンスは、実施形態２の図１６及び図１７の動作シーケンスと同様である。本実施形態の動作シーケンスでは、リモート局において周波数帯域毎に送信電力値が調整される点で、実施形態２の動作シーケンスと主に異なる。
【０１７９】
（パスロス値の算出）
制御局のパスロス推定部は、各リモート局に通知した送信電力変更回毎、周波数領域毎の送信電力値と、送信電力変更回毎、周波数領域毎の端末における受信品質を使用して、各リモート局と端末との間の各パスロス値を推定する。
【０１８０】
ここで、チャネルゲインＧ、各リモート局の送信電力変更回毎、周波数領域毎の送信電力値Ｐ、及び、端末における受信品質Ｃとの関係は、次のように表される。チャネルゲインは、パスロス値の逆数である。
【０１８１】
【数１３】
0005862228.tif 000014
【０１８２】
ここで、σは他セルからの干渉電力値および雑音電力値を表す。本実施形態では、σは、時間にも周波数にも依存せず一定であるとする。
【０１８３】
端末における受信品質Ｃは、次のように表される。
【０１８４】
【数１４】
0005862228.tif 000015
【０１８５】
ここで、Ｎｔは、送信電力変更回数である。受信品質Ｃの要素Ｃｔは次のように表される。
【０１８６】
【数１５】
0005862228.tif 000016
【０１８７】
ここで、γｉ，ｋは、端末における送信電力変更回＃ｋの周波数領域＃ｉの受信品質である。Ｎｆは、各リモート局が使用する周波数領域の数である。
【０１８８】
また、各リモート局の送信電力Ｐは、次のように表される。
【０１８９】
【数１６】
0005862228.tif 000017
【０１９０】
送信電力Ｐの要素Ｐｔは次のように表される。
【０１９１】
【数１７】
0005862228.tif 000018
【０１９２】
ここで、ｐｉ,ｊ,ｋは、リモート局＃ｊにおける周波数領域＃ｉ、電力変更回＃ｋの送信電力値である。Ｎｒｒｈは、は、リモート局の数である。Ｎｒｒｈは、原則として、稼動しているリモート局の数とする。稼動していない（電波を送信していない）リモート局については、行列Ｐから除外する。
【０１９３】
チャネルゲインＧは、次のように表される。
【０１９４】
【数１８】
0005862228.tif 000019
【０１９５】
ここで、ｇｊは、リモート局＃ｊと端末との間のチャネルゲインである。チャネルゲインは、パスロス値の逆数である。即ち、端末とリモート局＃ｊとの間のパスロス値は、１／ｇｊである。
【０１９６】
チャネルゲインＧは、次のように求められる。
【０１９７】
【数１９】
0005862228.tif 000020
【０１９８】
行列Ｐの各要素は、行列Ｃの各要素とチャネルゲインＧの各要素との関係を定義する連立方程式の係数である。行列Ｐにおいて、０でない固有値の数がＮｒｒｈ以上である場合、当該連立方程式が独立な方程式をＮｒｒｈ以上含むこととなり、チャネルゲインＧが求められる。また、行列Ｐが正方行列でない場合、行列ＰＴＰにおいて、０でない固有値の数がＮｒｒｈ以上である場合、当該連立方程式が独立な方程式をＮｒｒｈ以上含むこととなり、チャネルゲインＧが求められる。
【０１９９】
（本実施形態の作用効果）
本実施形態では、制御局は、リモート局から出力される信号の送信電力を、周波数方向及び時間方向に変化させる。本実施形態の構成によれば、他の実施形態の構成と比べて、行列Ｐの要素の数が多くなるため、より精度よくパスロス値を求めることができる。
【符号の説明】
【０２００】
１００      制御局
１０２        変調部
１０４        マッピング部
１０６        送信電力決定部
１０８        パスロス推定部
１１０        スケジューリング部
１１２        復調部
１１４        デマッピング部
１２０        インタフェース
１９２        プロセッサ
１９４        記憶装置
１９６        ベースバンド処理回路
２００      リモート局
２０２        送信電力調整部
２０４        ＩＦＦＴ／ＣＰ付加部
２０６        ＤＡＣ
２１０        インタフェース
２１４        ＦＦＴ／ＣＲ除去部
２１６        ＡＤＣ
２２０        アンテナ
２９２        プロセッサ
２９４        記憶装置
２９６        ベースバンド処理回路
２９８        無線処理回路
３００      端末
３０２        変調部
３０４        マッピング部
３０６        ＩＦＦＴ／ＣＲ付加部
３０８        ＤＡＣ
３１０        スケジューリング部
３２０        アンテナ
３３２        復調部
３３４        デマッピング部
３３６        ＩＦＦＴ／ＣＲ除去部
３３８        ＡＤＣ
３４０        受信品質測定部
３９２        プロセッサ
３９４        記憶装置
３９６        ベースバンド処理回路
３９８        無線処理回路
６００      制御局
７００      リモート局
８００      端末
【図１】
0005862228.tif 000021
【図２】
0005862228.tif 000022
【図３】
0005862228.tif 000023
【図４】
0005862228.tif 000024
【図５】
0005862228.tif 000025
【図６】
0005862228.tif 000026
【図７】
0005862228.tif 000027
【図８】
0005862228.tif 000028
【図９】
0005862228.tif 000029
【図１０】
0005862228.tif 000030
【図１１】
0005862228.tif 000031
【図１２】
0005862228.tif 000032
【図１３】
0005862228.tif 000033
【図１４】
0005862228.tif 000034
【図１５】
0005862228.tif 000035
【図１６】
0005862228.tif 000036
【図１７】
0005862228.tif 000037
【図１８】
0005862228.tif 000038
【図１９】
0005862228.tif 000039